(57)【特許請求の範囲】
【請求項１】
固定子コアの径方向に延び、前記固定子コアに挿入されて溶接される電気導体の端部を前記固定子コアの周方向における両側からクランプする一対のクランプ本体と、
前記固定子コア側の前記クランプ本体の部分に設けられ、前記クランプ本体にクランプされている電気導体に対して固定子コアの周方向において隣接する電気導体の基部の上面に配置される複数の突起を有するロケータと、を有し、
前記突起は、前記固定子コアの軸方向において前記固定子コア側に突出して設けられ、
前記固定子コアの径方向において、前記突起の幅は電気導体１本の幅以上であることを特徴とするロケータ付きクランプ治具。
【請求項２】
請求項１記載のロケータ付きクランプ治具であって、
前記クランプ本体と前記ロケータとは別部材で構成されていることを特徴とするロケータ付きクランプ治具。
【請求項３】
請求項２記載のロケータ付きクランプ治具であって、
前記クランプ本体の材質は前記ロケータの材質よりも熱伝導率が高い材質であることを特徴とするロケータ付きクランプ治具。
【請求項４】
固定子コアに挿入された電気導体の端部を溶接して固定子を製造する固定子製造装置であって、
前記固定子コアの径方向に延び、溶接される電気導体の端部を前記固定子コアの周方向における両側からクランプする一対のクランプ治具と、
前記固定子コアと前記クランプ治具とを相対的に前記固定子コアの軸方向に移動させる移動手段と、
前記一対のクランプ治具を移動させて前記一対のクランプ治具を開閉するクランプ治具開閉手段と、
前記固定子コア側の前記クランプ治具の部分に設けられ、前記クランプ治具にクランプされている電気導体に対して前記固定子コアの周方向において隣接する電気導体の基部の上面に配置される複数の突起を有するロケータと、を有し、
前記突起は、前記固定子コアの軸方向において前記固定子コア側に突出して設けられ、
前記固定子コアの径方向において、前記突起の幅は電気導体１本の幅以上であることを特徴とする固定子製造装置。
【請求項５】
請求項４記載の固定子製造装置であって、
前記突起は、前記クランプ治具によってクランプされる電気導体に対して前記固定子コアの径方向において隣接する電気導体の上面に沿う形状を有することを特徴とする固定子製造装置。
【請求項６】
請求項１〜請求項３のいずれかに記載のロケータ付きクランプ治具、又は、請求項４〜請求項５のいずれかに記載の固定子製造装置を用いて固定子を製造する固定子の製造方法。
【発明の詳細な説明】
【技術分野】
【０００１】
本発明は、固定子コアに挿入されたコイルセグメントの端部を溶接する前にクランプする、ロケータ付きクランプ治具、固定子製造装置、及び、固定子の製造方法に関する。
【背景技術】
【０００２】
従来より、自動車に搭載される小型化及び高出力化されたモータとして、固定子コアにコイルセグメントを挿入したものが知られている。モータの固定子は、固定子コアに挿入されたコイルセグメントの端部がクランプされて２本ずつ溶接されることにより製造される。セグメントの端部のクランプには、様々なクランプ治具が用いられる（例えば、特許文献１）。
【先行技術文献】
【特許文献】
【０００３】
【特許文献１】特開２０１４−１０７８７６号公報
【発明の概要】
【発明が解決しようとする課題】
【０００４】
上記特許文献１に記載のクランプ治具を用いて、セグメントの端部を、固定子コアの径方向に寄せてクランプしようとすると、セグメントの端部に対する基部も、端部とともに寄せられる。するとクランプ治具によってクランプされているセグメントの基部が、周方向において隣接するセグメントの基部に、固定子コアの径方向において干渉する。このとき、クランプ治具にてクランプされたコイルは、溶接による入熱により加熱されており、絶縁被膜が熱の影響により軟化している。そのため周方向に隣接するコイルと干渉すると、軟化した絶縁被膜に傷が付いて薄くなり、絶縁被膜による絶縁性が失われる可能性がある。【０００５】
本発明は、クランプ治具によりクランプした際にセグメントの基部同士が干渉することを抑えることができるロケータ付きクランプ治具、固定子製造装置、及び、固定子の製造方法を提供することを目的とする。
【課題を解決するための手段】
【０００６】
上記目的を達成するため本発明は、固定子コア（例えば、後述の固定子コア２１）の径方向に延び、前記固定子コアに挿入されて溶接される電気導体（例えば、後述のセグメント３０）の端部（例えば、後述の端部３１）を前記固定子コアの周方向における両側からクランプする一対のクランプ本体（例えば、後述のクランプ本体４１）と、前記固定子コア側の前記クランプ本体の部分に設けられ、前記クランプ本体にクランプされている電気導体に対して前記固定子コアの径方向において隣接する電気導体の上面（例えば、後述の上面３０４）に配置される複数の突起（例えば、後述の突起５２）を有するロケータ（例えば、後述のロケータ５０）と、を有し、前記固定子コアの径方向において、前記突起の幅は電気導体１本の幅以上であるロケータ付きクランプ治具を提供する。【０００７】
本発明によれば、クランプ治具によって挟持（クランプ）される電気導体と、固定子コアの周方向において当該クランプされた電気導体に隣接する電気導体と、の間の距離は、突起の同方向における距離（突出高さ）として固定される。そして、固定子コアの径方向において、突起の幅は電気導体の１本の幅以上であるため、挟持（クランプ）されている電気導体と径方向に隣接する電気導体とが、高い圧力で干渉することを抑えることができる。【０００８】
上記ロケータ付きクランプ治具では、前記クランプ本体と前記ロケータとは別部材で構成されている。【０００９】
クランプ本体は熱影響が大きく交換頻度が高いが、ロケータは複雑な形状を有しているため高価であり、ロケータを頻繁に交換しないことが好ましい。
本発明によれば、クランプ本体とロケータとが別個に独立した別部材で構成され、別個に独立して交換可能であるため、ロケータを交換せずにクランプ本体を交換することで、ロケータの交換回数を減らすことができ、コスト削減を図ることができる。【００１０】
上記ロケータ付きクランプ治具では、前記クランプ本体の材質は前記ロケータの材質よりも熱伝導率が高い材質である。【００１１】
本発明によれば、クランプ本体に熱が伝達されやすく、ロケータについてクランプ本体とは反対の側へ、熱が伝達されにくくすることができる。このため、熱が伝達されにくい側に、電気導体を覆う絶縁被膜が配置されるようにすることにより、絶縁被膜への熱影響を抑えることができる。【００１２】
また、本発明は、固定子コア（例えば、後述の固定子コア２１）に挿入された電気導体（例えば、後述のセグメント３０）の端部（例えば、後述の端部３１）を溶接して固定子を製造する固定子製造装置（例えば、後述の溶接装置１０）であって、前記固定子コアの径方向に延び、溶接される電気導体の端部を前記固定子コアの周方向における両側からクランプする一対のクランプ治具（例えば、後述のクランプ治具４０）と、前記固定子コアと前記クランプ治具とを相対的に前記固定子コアの軸方向に移動させる移動手段と、前記一対のクランプ治具を移動させて前記一対のクランプ治具を開閉するクランプ治具開閉手段と、前記固定子コア側の前記クランプ治具の部分に設けられ、前記クランプ治具にクランプされている電気導体に対して前記固定子コアの径方向において隣接する電気導体の上面に配置される複数の突起（例えば、後述の突起５２）を有するロケータ（例えば、後述のロケータ５０）と、を有し、前記固定子コアの径方向において、前記突起の幅は電気導体１本の幅以上である固定子製造装置を提供する。【００１３】
本発明によれば、上述のロケータ付きクランプ治具に関する発明と同様の作用・効果を奏する。【００１４】
また、前記突起は、前記クランプ治具によってクランプされる電気導体に対して前記固定子コアの径方向において隣接する電気導体の上面に沿う形状を有することが好ましい。【００１５】
本発明によれば、突起において、固定子コアの径方向において隣接する電気導体の上面に沿う形状の部分である斜面の部分が、当該隣接する電気導体の上面と接する面積を大きく確保することができ、電気導体の基部の絶縁被膜に作用する圧力を分散させることができる。【００１６】
また、本発明は、上記ロケータ付きクランプ治具、又は、上記固定子製造装置を用いて固定子を製造する固定子の製造方法を提供する。【００１７】
本発明によれば、上述のロケータ付きクランプ治具に関する発明と同様の作用・効果を奏する。
【発明の効果】
【００１８】
本発明によれば、クランプ治具によりクランプした際にセグメントの基部同士が干渉することを抑えることができるロケータ付きクランプ治具、固定子製造装置、及び、固定子の製造方法を提供することができる。
【図面の簡単な説明】
【００１９】
【図１】本発明の一実施形態に係る固定子製造装置としての溶接装置１０を用いて固定子２０を製造する様子を示す模式図である。
【図２】本発明の一実施形態に係るクランプ治具４０を示す平面図である。
【図３】本発明の一実施形態に係るクランプ治具４０を示す斜視図である。
【図４】本発明の一実施形態に係るクランプ治具４０を示す側面図である。
【図５】本発明の一実施形態に係るクランプ治具４０にロケータ５０が取り付けられた様子を示す底面図である。
【図６】本発明の一実施形態に係る一方のロケータ５０付きクランプ治具４０を示す平面図である。
【図７】本発明の一実施形態に係る他方のロケータ５０付きクランプ治具４０を示す平面図である。
【図８】本発明の一実施形態に係る固定子製造装置１０を用いて固定子２０を製造する様子を示す図である。（ａ）は、クランプ治具４０によりセグメント３０の端部３１をクランプする前の状態を示す平面図である。（ｂ）は、クランプ治具４０によりセグメントの端部３１をクランプした状態を示す平面図である。（ｃ）は、（ａ）のｃ−ｃ線に沿った断面図である。（ｄ）は、（ｂ）のｄ−ｄ線に沿った断面図である。（ｅ）は、セグメントの端部３１を溶接した様子を示す断面図である。
【図９】本発明の一実施形態に係る固定子製造装置を用いて固定子２０を製造する様子を示す図である。（ａ）は、クランプ治具４０によりセグメントの端部３１をクランプする前の状態を示す、固定子コア２１の径方向視の図である。（ｂ）は、クランプ治具４０によりセグメントの端部３１をクランプした状態を示す、固定子コア２１の径方向視の図である。
【発明を実施するための形態】
【００２０】
本発明の一実施形態について、図面を参照しながら詳細に説明する。先ず、クランプ治具４０、及び、固定子製造装置としての溶接装置１０により溶接されるセグメント３０を有する固定子２０について説明する。図１は、本発明の一実施形態に係る固定子製造装置としての溶接装置１０を用いて固定子２０を製造する様子を示す模式図である。
【００２１】
溶接装置１０は、固定子用治具１１と、溶接トーチ１２と、クランプ治具４０と、を備えている。
固定子用治具１１は、固定子２０の軸心を中心として回転可能に固定子２０を支持する。固定子用治具１１が回転することにより、固定子２０が回転させられ、溶接トーチ１２に対する、固定子２０に挿入されたセグメント３０の端部３１の位置を変えることができるように構成されている。
【００２２】
溶接トーチ１２は、上下方向及び固定子２０の半径方向（以下「径方向」という）に移動可能に支持されている。溶接トーチ１２は、ＴＩＧ溶接の電極１２１と、シールドガスの吹き出し口１２３とを備えている。本実施形態では、溶接方法としてＴＩＧ溶接が用いられる。後述のように一のセグメント３０の端部３１の一列において、８本の端部３１が２本ずつＴＩＧ溶接により溶接される。その後に、固定子用治具１１によって固定子２０が回転させられて、当該一のセグメント３０の端部３１の一列に隣接する他のセグメント３０の端部３１の一列において、８本の端部３１が２本ずつＴＩＧ溶接により溶接される。これが繰り返されることにより、複数のセグメント３０の端部３１は、２本ずつ電気的に接続されるように構成されている。
【００２３】
固定子２０は、固定子コア２１と、複数のスロット２２と、電気導体としての複数のセグメント３０とを備えている。固定子コア２１は、円筒状を有しており、複数のスロット２２は、固定子コア２１に形成されている。複数のスロット２２は、固定子コア２１の軸方向へ固定子コア２１を貫通する貫通孔により構成されており、固定子コア２１の軸心を中心として放射状に且つ、周方向の全体にわたって複数形成されている。
【００２４】
セグメント３０は、通電する導体３２と、導体３２を覆うことにより周囲を絶縁する絶縁被膜３３と、を有している。導体３２は、銅により構成された平角線材により構成されている。絶縁被膜３３は、軟質で絶縁性を有する材料により構成されている。セグメント３０の端部３１においては、絶縁被膜３３は剥離されており、平角線材が露出している。
【００２５】
複数のセグメント３０は、固定子２０に形成された複数のスロット２２にそれぞれ挿入されている。セグメント３０は、固定子コア２１に挿入された状態とされることにより、複数のセグメント３０の端部３１は、８本ずつ固定子コア２１の径方向に一列に並べられる。８本ずつ並べられたセグメント３０の端部３１の列は、固定子コア２１の軸心を中心として放射状に複数列並べられている。
【００２６】
次に、クランプ治具４０について説明する。クランプ治具４０を構成する一対のクランプ本体４１は、左右対称形状を有しているため、一方についてのみ説明し、他方については、説明を省略する。
図２は、本発明の一実施形態に係るクランプ治具４０を示す平面図である。図３は、本発明の一実施形態に係るクランプ治具４０を示す斜視図である。図４は、本発明の一実施形態に係るクランプ治具４０を示す側面図である。
【００２７】
クランプ治具４０は、クランプ本体４１を有しており、クランプ本体４１は、中心側支持部４４と、外径側支持部４５と、中間挟持部４６とを有している。中心側支持部４４と、中間挟持部４６と、外径側支持部４５とは、この順で並んだ位置関係を有しており、銅により構成されて一体成形されて接続され、固定子コア２１の径方向に延びる位置関係とされて使用される。クランプ治具４０は、固定子コア２１に対して相対的に固定子コア２１の軸方向（図１において矢印Ａで示す方向及びその逆方向）にクランプ治具４０を移動可能とする移動手段としての移動装置部（図示せず）により支持されている。
【００２８】
中心側支持部４４は、略直方体形状を有しており、中心側支持部４４の長手方向に沿って２つの貫通孔４４１が形成されている。２つの貫通孔４４１には、それぞれボルト（図示せず）が貫通して、クランプ治具４０を支持する溶接装置１０の移動装置部（図示せず）に、中心側支持部４４は固定される。溶接装置１０の移動装置部は、クランプ治具開閉手段としてのクランプ治具開閉装置部（図示せず）を備えている。移動装置部（図示せず）は、固定子コア２１の周方向（図５（ａ）の略上下方向）へ、一対のクランプ治具４０を互いに離間したり接近したりして一対のクランプ治具４０を開閉して、クランプ治具４０が、固定子２０に挿入されるセグメント３０の端部３１をクランプ（挟持）することができるように構成されている。
【００２９】
外径側支持部４５は、略直方体形状を有しており、中間挟持部４６に接続されている側に対する反対側の端部寄りの部分には、貫通孔４５１が形成されている。貫通孔４５１には、ボルト（図示せず）が貫通して、クランプ治具４０を支持する溶接装置１０の移動装置部（図示せず）に、外径側支持部４５は固定される。
【００３０】
中間挟持部４６は、図５（ａ）、図５（ｂ）に示すように、溶接されるセグメント３０の端部３１を固定子コア２１の周方向両側（図５（ａ）の略上下両側）からクランプする。図３等に示すように、中間挟持部４６は、ガイド突部４３と、端部収容凹部４６１と、を有している。
【００３１】
図２等に示すように、ガイド突部４３は、互いに対向し合うクランプ本体４１の側面から、他方のクランプ本体４１の側面へ向って３つ突出している。３つのガイド突部４３は、図２に示す平面視で略２等辺三角形状を有している。
【００３２】
ガイド突部４３の存在により、中間挟持部４６には、ガイド突部４３に対して相対的に窪んだ端部収容凹部４６１が形成されている。端部収容凹部４６１は、３つのガイド突部４３のうちの隣接するガイド突部４３の間と、両側のガイド突部４３と更にその両側に存在する端部凸壁４６３との間と、に形成されており、計４つ固定子コア２１の径方向に並んで形成されている。４つの端部収容凹部４６１には、それぞれ２本ずつセグメント３０の端部３１が収容された状態とされて、クランプ本体４１により、計８本のセグメント３０の端部３１がクランプされた状態とされる。
【００３３】
次に、クランプ治具４０に取り付けられるロケータ５０について説明する。
図５は、本発明の一実施形態に係るクランプ治具４０にロケータ５０が取り付けられた様子を示す底面図である。図６は、本発明の一実施形態に係る一方のロケータ５０付きクランプ治具４０を示す平面図である。図７は、本発明の一実施形態に係る他方のロケータ５０付きクランプ治具４０を示す平面図である。
ロケータ５０を構成する一対のロケータ本体５１は、一部を除き左右対称形状を有しているため、左右対称形状の部分については、一方のロケータ５０についてのみ説明し、他方については、説明を省略する。
【００３４】
ロケータ５０は、固定子コア２１側のクランプ治具４０の部分に固定されて設けられ、ロケータ本体５１と、突起５２とを有している。ロケータ本体５１は、板状を有しており、中心側板状部５４と、外径側板状部５５と、中間板状部５６とを有している。中心側板状部５４と、中間板状部５６と、外径側板状部５５とは、この順で並んだ位置関係を有しており、鉄材により構成されて一体成形されて接続され、クランプ治具４０のクランプ本体４１に固定されることにより、固定子コア２１の径方向に延びる位置関係とされて使用される。クランプ本体４１は熱影響が大きく交換頻度が高いが、ロケータ５０は複雑な形状をしているため高価であり頻繁に交換をしたくない。クランプ本体４１とロケータ５０が別個に独立した別部材で構成され、別個に独立して交換可能なためロケータ５０の交換回数を減らすことができコスト削減となる。
【００３５】
ロケータ５０は、鉄材により構成され、クランプ治具４０は、銅により構成されるため、セグメント３０の端部３１を溶接する際にセグメント３０に伝達される熱は、ロケータ５０よりも、銅により構成されたクランプ治具４０へ伝達されやすく構成されている。このため、ロケータ５０よりも下方（図９に示すロケータ５０の下方）に位置するセグメント３０の基部３０１へ、ロケータ５０から熱が伝達されにくく構成されており、絶縁被膜３３への熱影響を抑えることが出来る。ロケータ５０は、固定子コア２１に対して相対的に固定子コア２１の軸方向（図１において矢印Ａで示す方向及びその逆方向）にクランプ治具４０を移動可能とする移動手段としての移動装置部（図示せず）により、クランプ治具４０と一体で移動可能に支持されている。
【００３６】
中心側板状部５４は、中心側支持部４４の底面形状よりも大きい略長方形状の板状を有しており、中心側板状部５４の長手方向に沿って２つの貫通孔５４１が形成されている。２つの貫通孔５４１には、それぞれボルト（図示せず）が貫通して、中心側支持部４４とともに、中心側板状部５４は、溶接装置１０の移動装置部（図示せず）に固定される。
【００３７】
外径側板状部５５は、外径側支持部４５の底面形状よりも大きい略長方形状の板状を有しており、中間板状部５６に接続されている側に対する反対側の端部寄りの部分には、貫通孔５５１が形成されている。貫通孔５５１には、ボルト（図示せず）が貫通して、外径側支持部４５とともに、外径側板状部５５は、溶接装置１０の移動装置部（図示せず）に固定される。
【００３８】
中間板状部５６は、中間挟持部４６の底面形状と略同一形状の板状を有している。中間板状部５６の底面には、突起５２が設けられている。突起５２は、図９に示すように、クランプ治具４０にクランプされているセグメント３０−１に対して固定子コア２１の径方向において隣接するセグメント３０−２の上面３０４に対向して配置されている。
【００３９】
具体的には、図９に示すように、突起５２は、クランプ治具４０によってクランプされるセグメント３０−１に対して固定子コア２１の径方向において隣接するセグメント３０−２の上面３０４に沿う形状を有する。即ち、突起５２は、図６、図７、図９に示すように、固定子コア２１の径方向視（図６、図７においては上下方向で見る方向）で直角三角形状を有している。一対のロケータ５０において他方のロケータ５０に対向する突起５２の面５２１は、固定子コア２１の径方向及び上下方向に平行な位置関係を有している。また、突起は、突起５２の突出高さが固定子コア２１の周方向に沿って他方のロケータ５０から離れるにつれて低くなる斜面５２３を有している。この斜面５２３は、クランプ治具４０によってクランプされるセグメント３０−１に対して、固定子コア２１の径方向において隣接しているセグメント３０−２の上面３０４の上方において対向する位置にある。当該セグメント３０−２の上面３０４は、図９に示すように、固定子コア２１の周方向に沿って傾斜しており、この斜面５２３は、この傾斜に沿った形状を有している。
【００４０】
固定子コアの径方向における突起５２の幅Ｗ１（図６、図７等参照）は、同方向における電気導体としてのセグメント３０の１本の幅Ｗ２（図８参照）以上である。そして、図６、図７に示すように、一対のロケータ５０において、一方のロケータ５０の突起５２と他方のロケータ５０の突起５２とは、固定子コア２１の周方向（図５における上下方向）において、互いに対向しない互い違いの位置関係で設けられている。更に、一方のロケータ５０、他方のロケータ５０それぞれにおいて、隣接する突起５２と突起５２との間には、溝５３が形成されているが、径方向において隣接する１組の突起５２と溝５３とは、図５に示すように、上下方向（図５における紙面の表と裏とを結ぶ方向）において、１組ずつ端部収容凹部４６１に対向して配置されている。
【００４１】
これにより、図９に示すように、一の端部収容凹部４６１（図５等参照）に配置される２本のセグメント３０の端部３１のうちの１本（セグメント３０−１）に対して、一方のロケータ５０−１の突起５２は、固定子コア２１の径方向外側（図９の紙面における表側から裏側へ向う側（奥側））に位置しているため、当該１本のセグメント３０−１は、当該端部収容凹部４６１において一方のロケータ５０−１の突起５２よりも、固定子コア２１の径方向内側（図９の紙面における裏側から表側へ向う側（手前側））に位置決めされる。
【００４２】
これに対して、他方のロケータ５０−２の突起５２は、一方のロケータ５０−１の突起５２よりも、固定子コア２１の径方向内側（図９の紙面における裏側から表側へ向う側（手前側））に位置しているため、当該他の一本のセグメント３０−３は、当該端部収容凹部４６１において、セグメント３０−１よりも固定子コア２１の径方向外側（図９の紙面における表側から裏側へ向う側（奥側））に位置決めされる。このようにセグメント３０−１及びセグメント３０−３配置されて、一の端部収容凹部４６１に配置される２本のセグメント３０−１の基部３０１と、固定子コアの周方向において隣接するセグメント３０−２（他の端部収容凹部４６１に配置される２本のセグメント３０のうちの一本）の基部３０１とは、互いに、固定子コア２１の径方向において接触し合わないように位置決めされる。
【００４３】
次に、クランプ治具４０を有する溶接装置１０を用いた固定子の製造方法について説明する。
図８は、本発明の一実施形態に係る固定子製造装置１０を用いて固定子２０を製造する様子を示す図である。（ａ）は、クランプ治具４０によりセグメント３０の端部３１をクランプする前の状態を示す平面図である。（ｂ）は、クランプ治具４０によりセグメントの端部３１をクランプした状態を示す平面図である。（ｃ）は、（ａ）のｃ−ｃ線に沿った断面図である。（ｄ）は、（ｂ）のｄ−ｄ線に沿った断面図である。（ｅ）は、セグメントの端部３１を溶接した様子を示す断面図である。
図９は、本発明の一実施形態に係る固定子製造装置を用いて固定子を製造する様子を示す図である。（ａ）は、クランプ治具４０によりセグメントの端部３１をクランプする前の状態を示す、固定子コア２１の径方向視の図である。（ｂ）は、クランプ治具４０によりセグメントの端部３１をクランプした状態を示す、固定子コア２１の径方向視の図である。図７は、本発明の一実施形態に係る固定子製造装置１０により溶接されたセグメント３０を示す図である。
【００４４】
先ず、固定子用治具１１を回転させることにより固定子２０を回転させて、クランプ治具４０の近傍へ、クランプするセグメント３０の端部３１の列を移動させる。そして、クランプ移動装置部の駆動により、クランプ治具４０の中間挟持部４６がクランプするセグメント３０の端部３１の列をクランプ可能な位置へ、クランプ治具４０を移動させる。クランプ本体４１は、図８（ａ）に示すように、固定子コア２１の周方向に複数形成されているセグメント３０の端部３１の列のうちの、クランプされるセグメント３０の端部３１の列と、この列の両隣のセグメント３０の端部３１の列との間に配置される。
【００４５】
次に、図８（ａ）に示すように、溶接装置１０のクランプ治具開閉装置部（図示せず）を駆動させることにより、一対のクランプ本体４１を矢印Ｃに示す方向へ互いに接近させる。これにより、図８（ｂ）に示すように、８本のセグメント３０の端部３１が２本ずつ、端部収容凹部４６１に収容された状態で、クランプ本体４１にクランプされる。このとき、端部収容凹部４６１においてセグメント３０は、突起５２により、固定子コア２１の径方向において位置決めされるとともに、固定子コア２１の周方向において隣接するセグメントに対しても位置決めされているため、クランプ治具４０によってクランプされているセグメント３０と、固定子コア２１の周方向において、当該クランプ治具４０によってクランプされているセグメント３０に隣接するセグメント３０の基部３０１（図９等参照）とが、固定子コア２１の径方向において接触しにくい状態とされている。
【００４６】
次に、クランプ本体４１によってクランプされたセグメント３０の端部３１に対して、トーチ１２が相対的に図１の矢印Ｂの方向へ移動し、図８（ｅ）に示すように、セグメント３０の端部３１の２本ずつの４つの組を順番に溶接する。これにより、セグメント３０の端部３１の先端部に溶接玉３４が形成され、セグメント３０の端部３１が２本ずつ溶接される。そして上述の工程が、固定子コア２１の径方向に並べられた８本のセグメント３０の端部３１の各列に対して行われて、全てのセグメント３０の端部３１が、２本ずつ溶接される。その結果、セグメント３０の基部３０１において、セグメント３０の基部３０１同士が接触した状態となることにより発生する、セグメント３０の基部３０１の絶縁被膜が薄くなることが抑えられた固定子２０が製造される。
【００４７】
本実施形態によれば、以下の効果が奏される。
本実施形態では、クランプ治具４０は、固定子コア２１の径方向に延びて構成され、固定子コア２１に挿入されて溶接される電気導体としてのセグメント３０の端部３１を、固定子コア２１の周方向における両側からクランプする一対のクランプ本体４１と、固定子コア２１側のクランプ本体４１の部分に設けられ、クランプ本体４１にクランプされている電気導体としてのセグメント３０に対して固定子コア２１の径方向において隣接するセグメント３０の上面３０４に配置される複数の突起５２を有するロケータ５０と、を有し、固定子コア２１の径方向において、突起５２の幅Ｗ１はセグメント３０の１本の幅Ｗ２以上である。
【００４８】
また、本実施形態では、固定子コア２１に挿入された電気導体としてのセグメント３０の端部３１を溶接して固定子２０を製造する固定子製造装置１０は、固定子コア２１の径方向に延び、溶接されるセグメント３０の端部３１を固定子コア２１の周方向における両側からクランプする一対のクランプ治具４０と、固定子コア２１とクランプ治具４０とを相対的に固定子コア２１の軸方向に移動させる移動手段としての移動装置部と、一対のクランプ治具４０を移動させて一対のクランプ治具４０を開閉するクランプ治具開閉手段としてのクランプ治具開閉装置部と、固定子コア２１側のクランプ治具４０の部分に設けられ、クランプ治具４０にクランプされているセグメント３０−１に対して固定子コア２１の径方向において隣接するセグメント３０−２の上面３０４に配置される複数の突起５２を有するロケータ５０と、を有する。そして、固定子コア２１の径方向において、突起５２の幅Ｗ１はセグメント３０の１本の幅Ｗ２以上である。
【００４９】
これにより、クランプ治具４０によって挟持（クランプ）される電気導体としてのセグメント３０と、固定子コア２１の周方向において当該クランプされたセグメント３０に隣接するセグメント３０と、の間の距離は、突起５２の同方向における距離（突出高さ）として固定される。そして、固定子コア２１の径方向において、突起５２の幅Ｗ１はセグメント３０の１本の幅Ｗ２以上であるため、固定子コア２１の径方向において、セグメント３０の１本の幅Ｗ２以上の幅の広い間隔で、セグメント３０が位置決めされるため、挟持（クランプ）されている電気導体としてのセグメント３０と径方向に隣接するセグメント３０とが、高い圧力で干渉することを抑えることができる。
【００５０】
また、クランプ本体４１とロケータ５０とは別部材で構成されている。
クランプ本体４１は熱影響が大きく交換頻度が高いが、ロケータ５０は複雑な形状を有しているため高価であり、ロケータを頻繁に交換しないことが好ましい。本実施形態では、クランプ本体４１とロケータ５０とが別個に独立した別部材で構成され、別個に独立して交換可能であるため、ロケータ５０を交換せずにクランプ本体４１を交換することで、ロケータ５０の交換回数を減らすことができ、コスト削減を図ることができる。
【００５１】
また、クランプ本体４１の材質はロケータ５０の材質よりも熱伝導率が高い材質である。これにより、クランプ本体４１に熱が伝達されやすく、ロケータ５０についてクランプ本体４１とは反対の側へ、熱が伝達されにくくすることができる。このため、熱が伝達されにくい側に、セグメント３０の絶縁被膜３３が配置されるようにすることにより、絶縁被膜３３への熱影響を抑えることができる。
【００５２】
また、突起５２は、クランプ治具４０によってクランプされる電気導体としてのセグメント３０−１に対して固定子コア２１の径方向において隣接するセグメント３０−２の上面３０４に沿う形状を有する。
【００５３】
これにより、突起５２において、固定子コア２１の径方向において隣接するセグメント３０−２の上面３０４に沿う形状の部分である斜面５２３の部分が、当該隣接するセグメント３０−２の上面３０４と接する面積を大きく確保することができ、セグメント３０の基部３０１の絶縁被膜に作用する圧力を集中させずに分散させることができる。
【００５４】
本発明は上記実施形態に限定されるものではなく、本発明の目的を達成できる範囲での変形、改良等は本発明に含まれる。
例えば、固定子製造装置の各部の構成は、本実施形態における固定子製造装置１０の各部の構成に限定されない。例えば、突起５２の形状は、本実施形態における突起５２の形状に限定されない。例えば、突起は、中間板状部５６の底面から下方へ延びる棒状を有していてもよい。
【００５５】
また、本実施形態では、溶接方法としてＴＩＧ溶接が用いられ、溶接トーチ１２を、ＴＩＧ溶接の電極及びシールドガスの吹き出し口を備える構成としたが、これに限定されない。例えば、溶接方法としてＭＩＧ溶接等が用いられてもよく、セグメント３０の端部３１を溶接できれば他の溶接方法を用いてもよい。また、スロット２２には、絶縁性のインシュレータが挿入され、当該インシュレータにセグメント３０が挿入されてもよい。
【符号の説明】
【００５６】
１０…溶接装置（固定子製造装置）
２１…固定子コア
３０…セグメント（電気導体）
３１…端部
３３…絶縁被膜
４０…クランプ治具
４１…クランプ本体
５２…突起
３０１…基部
３０４…上面
【図１】
0006681973.tif 000002
【図２】
0006681973.tif 000003
【図３】
0006681973.tif 000004
【図４】
0006681973.tif 000005
【図５】
0006681973.tif 000006
【図６】
0006681973.tif 000007
【図７】
0006681973.tif 000008
【図８】
0006681973.tif 000009
【図９】
0006681973.tif 000010